(57)【要約】【課題】音声通話機能を含むアプリケーションの度重なるバージョンアップに対しても、音声通話サービスのラウドネスレベルの管理を容易にする。【解決手段】バージョンアップ後の音声通話機能を含むアプリケーションがインストールされた端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャし、キャプチャした前記符号化音声データ信号又は前記パケットデータ信号から音声信号を生成し、前記音声信号に対するラウドネスレベルと、前記所定の入力信号に対するラウドネスレベルとを算出し、算出した２つのラウドネスレベルの差分に基づき、バージョンアップ後の送話ラウドネス定格を算出する。【選択図】図２
2014023001.tif 000002
【特許請求の範囲】
【請求項１】
音声通話機能を含むアプリケーションにより音声通話を行う端末装置について、アプリケーションのバージョンアップ後の送話ラウドネス定格を測定する送話ラウドネス定格情報測定装置であって、
バージョンアップ後の音声通話機能を含むアプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャ手段と、
前記出力信号キャプチャ手段によりキャプチャした前記符号化音声データ信号又は前記パケットデータ信号から音声信号を生成し、当該音声信号を出力するデータ変換手段と、
前記データ変換手段により生成した前記音声信号に対するラウドネスレベルと、前記所定の入力信号に対するラウドネスレベルとを算出するラウドネスレベル算出手段と、
前記ラウドネスレベル算出手段により算出した２つのラウドネスレベルの差分に基づき、バージョンアップ後の送話ラウドネス定格を算出する送話ラウドネス定格情報算出手段と、
を備えることを特徴とする送話ラウドネス定格情報測定装置。
【請求項２】
バージョンアップ前のアプリケーションについて、予め測定器を用いて前記端末装置のマイク入力からの送話ラウドネス定格が基準送話ラウドネス定格として測定されており、前記端末装置は、当該測定時に入力された試験信号を前記所定の入力信号として記憶手段に記録しており、当該所定の入力信号を前記通話音声として送信し、
前記送話ラウドネス定格情報算出手段は、前記２つのラウドネスレベルの差分及び前記基準送話ラウドネス定格に基づき、バージョンアップ後の送話ラウドネス定格を算出する
ことを特徴とする請求項１に記載の送話ラウドネス定格情報測定装置。
【請求項３】
音声通話機能を含むアプリケーションにより音声通話を行う端末装置について、アプリケーションのバージョンアップ前後の送話ラウドネス定格に関する情報を測定する送話ラウドネス定格情報測定装置であって、
音声通話機能を含むアプリケーションのバージョンアップ前後の各々において、当該アプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャ手段と、
前記出力信号キャプチャ手段によりキャプチャしたバージョンアップ前後の符号化音声データ信号、又はバージョンアップ前後のパケットデータ信号から、バージョンアップ前後の音声信号を生成し、当該バージョンアップ前後の音声信号を出力するデータ変換手段と、
前記データ変換手段により生成した前記バージョンアップ前後の音声信号に対するバージョンアップ前後のラウドネスレベルを算出するラウドネスレベル算出手段と、
前記ラウドネスレベル算出手段により算出したバージョンアップ前後の２つのラウドネスレベルの差分に基づき、バージョンアップ前後の送話ラウドネス定格の変動量を算出する送話ラウドネス定格情報算出手段と、
を備えることを特徴とする送話ラウドネス定格情報測定装置。
【請求項４】
前記バージョンアップ前のアプリケーションについて、予め測定器を用いて前記端末装置のマイク入力からの送話ラウドネス定格を基準送話ラウドネス定格として測定している場合において、
前記送話ラウドネス定格情報算出手段は、前記２つのラウドネスレベルの差分及び前記基準送話ラウドネス定格に基づき、バージョンアップ後の送話ラウドネス定格を算出する
ことを特徴とする請求項３に記載の送話ラウドネス定格情報測定装置。
【請求項５】
音声通話機能を含むアプリケーションにより音声通話を行う端末装置について、アプリケーションのバージョンアップ後の送話ラウドネス定格を測定する送話ラウドネス定格情報測定装置が実行する送話ラウドネス定格情報測定方法であって、
バージョンアップ後の音声通話機能を含むアプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャステップと、
前記出力信号キャプチャステップにおいてキャプチャした前記符号化音声データ信号又は前記パケットデータ信号から音声信号を生成するデータ変換ステップと、
前記データ変換ステップにおいて生成した前記音声信号に対するラウドネスレベルと、前記所定の入力信号に対するラウドネスレベルとを算出するラウドネスレベル算出ステップと、
前記ラウドネスレベル算出ステップにおいて算出した２つのラウドネスレベルの差分に基づき、バージョンアップ後の送話ラウドネス定格を算出する送話ラウドネス定格情報算出ステップと、
を備えることを特徴とする送話ラウドネス定格情報測定方法。
【請求項６】
バージョンアップ前のアプリケーションについて、予め測定器を用いて前記端末装置のマイク入力からの送話ラウドネス定格が基準送話ラウドネス定格として測定されており、前記端末装置は、当該測定時に入力された試験信号を前記所定の入力信号として記憶手段に記録しており、当該所定の入力信号を前記通話音声として送信し、
前記送話ラウドネス定格情報算出ステップにおいて、前記２つのラウドネスレベルの差分及び前記基準送話ラウドネス定格に基づき、バージョンアップ後の送話ラウドネス定格を算出する
ことを特徴とする請求項５に記載の送話ラウドネス定格情報測定方法。
【請求項７】
音声通話機能を含むアプリケーションにより音声通話を行う端末装置について、アプリケーションのバージョンアップ前後の送話ラウドネス定格に関する情報を測定する送話ラウドネス定格情報測定装置が実行する送話ラウドネス定格情報測定方法であって、
音声通話機能を含むアプリケーションのバージョンアップ前後の各々において、当該アプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャステップと、
前記出力信号キャプチャステップにおいてキャプチャしたバージョンアップ前後の符号化音声データ信号、又はバージョンアップ前後のパケットデータ信号から、バージョンアップ前後の音声信号を生成するデータ変換ステップと、
前記データ変換ステップにおいて生成した前記バージョンアップ前後の音声信号に対するバージョンアップ前後のラウドネスレベルを算出するラウドネスレベル算出ステップと、
前記ラウドネスレベル算出ステップにおいて算出したバージョンアップ前後の２つのラウドネスレベルの差分に基づき、バージョンアップ前後の送話ラウドネス定格の変動量を算出する送話ラウドネス定格情報算出ステップと、
を備えることを特徴とする送話ラウドネス定格情報測定方法。
【請求項８】
前記バージョンアップ前のアプリケーションについて、予め測定器を用いて前記端末装置のマイク入力からの送話ラウドネス定格を基準送話ラウドネス定格として測定している場合において、
前記送話ラウドネス定格情報算出ステップにおいて、前記２つのラウドネスレベルの差分及び前記基準送話ラウドネス定格に基づき、バージョンアップ後の送話ラウドネス定格を算出する
ことを特徴とする請求項７に記載の送話ラウドネス定格情報測定方法。
【発明の詳細な説明】
【技術分野】
【０００１】
本発明は、モバイル端末等にインストールされる音声通話機能を含むアプリケーションを提供するサービス事業者が、アプリケーションのバージョンアップ後の送話ラウドネス定格やその変動量を容易に測定するための技術に関するものである。
【背景技術】
【０００２】
近年、高速無線LAN技術の登場によるモバイル端末へのデータ伝送速度の高速化により、スマートフォンを中心としたモバイル端末を用いてVoIP方式で音声通話を行うアプリケーションの普及がめざましい。音声通話機能を含むアプリケーションによる音声通話サービスでは、送受話ラウドネス定格を適切に設定することで、適切な音量で通話できる環境を利用者に提供する必要がある。送受話ラウドネス定格の中で送話ラウドネス定格は受話側での調整が不可能であるため、特に適切に設定することが求められる。
【０００３】
送話ラウドネス定格を測定する方法の従来例を図１を参照して説明する。図１に示すように、この測定方法では、音声通話機能を含むアプリケーションがインストールされた移動機端末１から、アクセスポイント２により提供される無線LANとIP網３を経由して、ゲートウェイ４を介して商用ISDN５に接続された測定器６に通話を着信させる。このとき測定器６に接続された擬似口７から出力される試験信号を移動機端末１へのマイク入力として、測定器６側で送話ラウドネス定格を計算する。
【先行技術文献】
【特許文献】
【０００４】
【特許文献１】特公平２−４２００号公報
【発明の概要】
【発明が解決しようとする課題】
【０００５】
上記のような音声通話機能を含むアプリケーションはバージョンアップが繰り返し行われる。そのため、バージョンアップする度に測定器を用いた送話ラウドネス定格測定が必要であり、多大なコスト及び時間を要するという課題がある。
【０００６】
本発明は上記の課題に鑑みてなされたものであり、測定器を用いた送話ラウドネス定格の測定をせずに、あるいはその測定回数を最小限に抑え、音声通話機能を含むアプリケーションがバージョンアップされた後の端末装置の送話ラウドネス定格もしくはその変動量を容易に算出することを可能とする技術を提供することを目的とする。
【課題を解決するための手段】
【０００７】
上記の課題を解決するために、本発明は、音声通話機能を含むアプリケーションにより音声通話を行う端末装置について、アプリケーションのバージョンアップ後の送話ラウドネス定格を測定する送話ラウドネス定格情報測定装置であって、
バージョンアップ後の音声通話機能を含むアプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャ手段と、
前記出力信号キャプチャ手段によりキャプチャした前記符号化音声データ信号又は前記パケットデータ信号から音声信号を生成し、当該音声信号を出力するデータ変換手段と、
前記データ変換手段により生成した前記音声信号に対するラウドネスレベルと、前記所定の入力信号に対するラウドネスレベルとを算出するラウドネスレベル算出手段と、
前記ラウドネスレベル算出手段により算出した２つのラウドネスレベルの差分に基づき、バージョンアップ後の送話ラウドネス定格を算出する送話ラウドネス定格情報算出手段と、を備えることを特徴とする送話ラウドネス定格情報測定装置として構成される。
【０００８】
前記送話ラウドネス定格情報測定装置において、バージョンアップ前のアプリケーションについて、予め測定器を用いて前記端末装置のマイク入力からの送話ラウドネス定格が基準送話ラウドネス定格として測定されており、前記端末装置は、当該測定時に入力された試験信号を前記所定の入力信号として記憶手段に記録しており、当該所定の入力信号を前記通話音声として送信し、前記送話ラウドネス定格情報算出手段は、前記２つのラウドネスレベルの差分及び前記基準送話ラウドネス定格に基づき、バージョンアップ後の送話ラウドネス定格を算出するように構成してもよい。
【０００９】
また、本発明は、音声通話機能を含むアプリケーションにより音声通話を行う端末装置について、アプリケーションのバージョンアップ前後の送話ラウドネス定格に関する情報を測定する送話ラウドネス定格情報測定装置であって、
音声通話機能を含むアプリケーションのバージョンアップ前後の各々において、当該アプリケーションがインストールされた前記端末装置から任意の相手端末に発信し、所定の入力信号を通話音声として送信したときに、当該アプリケーションから出力される符号化音声データ信号、又は前記端末装置と接続される無線LANのアクセスポイントから出力されるパケットデータ信号をキャプチャする出力信号キャプチャ手段と、
前記出力信号キャプチャ手段によりキャプチャしたバージョンアップ前後の符号化音声データ信号、又はバージョンアップ前後のパケットデータ信号から、バージョンアップ前後の音声信号を生成し、当該バージョンアップ前後の音声信号を出力するデータ変換手段と、
前記データ変換手段により生成した前記バージョンアップ前後の音声信号に対するバージョンアップ前後のラウドネスレベルを算出するラウドネスレベル算出手段と、
前記ラウドネスレベル算出手段により算出したバージョンアップ前後の２つのラウドネスレベルの差分に基づき、バージョンアップ前後の送話ラウドネス定格の変動量を算出する送話ラウドネス定格情報算出手段と、を備えることを特徴とする送話ラウドネス定格情報測定装置として構成することもできる。
【００１０】
前記送話ラウドネス定格情報測定装置において、前記バージョンアップ前のアプリケーションについて、予め測定器を用いて移動機端末のマイク入力からの送話ラウドネス定格を基準送話ラウドネス定格として測定している場合に、前記送話ラウドネス定格情報算出手段は、前記２つのラウドネスレベルの差分及び前記基準送話ラウドネス定格に基づき、バージョンアップ後の送話ラウドネス定格を算出するように構成してもよい。
【００１１】
また、本発明は、上述した送話ラウドネス定格情報測定装置が実行する送話ラウドネス定格情報測定方法として構成することもできる。
【発明の効果】
【００１２】
本発明によれば、測定器を用いた送話ラウドネス定格の測定をせずに、あるいはその測定回数を最小限に抑え、音声通話機能を含むアプリケーションがバージョンアップされた後の送話ラウドネス定格もしくはその変動量を容易に算出することが可能となることから、音声通話機能を含むアプリケーションの度重なるバージョンアップに対しても、音声通話サービスのラウドネスレベルの管理が容易となる。
【図面の簡単な説明】
【００１３】
【図１】測定器を用いた送話ラウドネス測定方法を説明するための図である。
【図２】本発明の第１の実施の形態に係る送話ラウドネス定格測定システムの構成図である。
【図３】本発明の第２の実施の形態に係る送話ラウドネス定格変動量測定システムの構成図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、測定対象の装置を、スマートフォン等の移動機端末としているが、本発明の測定対象は移動機端末に限られない。本発明は、音声通話機能を含むアプリケーションプログラムをインストールでき、当該アプリケーションによって音声パケットデータを送出する端末装置全般に適用可能である。
【００１５】
（実施の形態の原理、概要）
従来技術の課題を解決するために、本実施の形態では、音声通話機能を含むアプリケーションのバージョンアップにおいてラウドネスレベルが変動する区間に限定し、本区間の両端における音声信号のラウドネスレベルを測定することで、バージョンアップ後の送話ラウドネス定格あるいはその変動量を測定する。変動区間の両端における音声信号のラウドネスレベルの測定は、図１に示したような測定器を必要としないため、測定器を用いた測定に比べ容易に送話ラウドネス定格やその変動量の測定に必要な情報を取得することが可能である。
【００１６】
本発明の一実施形態に係る送話ラウドネス定格情報測定装置は、移動機端末内のOSに音声通話機能を含むアプリケーションがインストールされている場合において、当該アプリケーションのバージョンアップ後の送話ラウドネス定格に関する情報を測定する装置である。この送話ラウドネス定格情報測定装置は、バージョンアップ後の音声通話機能を含むアプリケーションから任意の相手端末に発信し、任意の入力信号を通話音声として送信したときの、音声通話機能を含むアプリケーションから出力される符号化音声データ信号又は無線LANのアクセスポイントから出力されるパケットデータ信号のいずれかをキャプチャする出力信号キャプチャ機能と、キャプチャした前記符号化音声データ信号または前記パケットデータ信号から音声信号を生成し、これを出力信号とするデータ変換機能と、生成した前記出力信号及び前記入力信号に対するラウドネスレベルを算出するラウドネスレベル算出機能と、測定した２つのラウドネスレベルの差分に基づきバージョンアップ後の送話ラウドネス定格を算出する送話ラウドネス定格情報算出機能、とを含む。
【００１７】
このように、ラウドネスレベル変動区間に限定し、測定器を用いずにラウドネスレベル測定可能な音声信号データを用いることにより、バージョンアップ後の送話ラウドネス定格を容易に測定することが可能となる。また、測定器を用いた送話ラウドネス定格測定を一度実施していれば、移動機端末のマイク入力からの送話ラウドネス定格測定が可能となる。さらに、バージョンアップ前後のラウドネスレベルを算出することで、送話ラウドネス定格の変動量を容易に測定することが可能となる。
【００１８】
（実施の形態の詳細）
以下、図を参照して本発明の実施の形態を詳細に説明する。
【００１９】
＜第１の実施の形態＞
第１の実施の形態は、予め測定器により、音声通話機能を含むアプリケーション（バージョンアップ前のアプリケーション）がインストールされた移動機端末に対する基準送話ラウドネス定格が図１に示す方法により測定されていることを前提に、当該アプリケーションがバージョンアップされた後の送話ラウドネス定格を測定する実施形態である。
【００２０】
図２に、本発明の第１の実施の形態に係る送話ラウドネス定格測定システムの構成図を示す。図２に示すように、本実施の形態における送話ラウドネス定格測定システムは、移動機端末１００と送話ラウドネス定格測定装置１０を有する。また、図２に示すように、送話ラウドネス定格測定装置１０は、移動機端末１００やアクセスポイント２００から出力されたデータ（送話ラウドネス定格測定に必要なデータ）を取得可能なように構成されている。
【００２１】
移動機端末１００は、ＣＰＵ及びメモリ等の記憶手段を含むコンピュータの構成を含み、OS（オペレーティングシステム）１０１と音声通話機能を含むアプリケーション１０２がインストールされている。このアプリケーション１０２は、測定器により送話ラウドネス定格が測定された上記アプリケーションのバージョンアップ後のものである。図２には、アプリケーション１０２がOS１０１上で起動されている状態が示されている。つまり、図２に示すアプリケーション１０２は、コンピュータのハードウェア資源とプログラムが協働して実現された機能部である。
【００２２】
また、移動機端末１００は、音声パケットデータを送信する送信処理部１０５、入力Linear PCM信号Iを格納する記憶部１０６を有する。
【００２３】
アプリケーション１０２は、音声通話機能を実現するための様々な機能を含むが、図２には、様々な機能のうち、本実施の形態に関わる符号化処理部１０３及びパケット化部１０４が示されている。符号化処理部１０３は、Linear PCM信号を符号化して符号化音声データを生成する機能部である。パケット化部１０４は、符号化音声データをパケット化し、音声パケットデータを生成する機能部である。
【００２４】
本実施の形態における記憶部１０６には、図１で示した構成を用いた基準送話ラウドネス定格測定時に移動機端末１００に入力される試験信号が入力Linear PCM信号Iとして予め記録されている。本実施の形態に係るアプリケーション１０２は、記憶部１０６に格納されているLinear PCM信号を読み出して発話音声として発信する機能を有する。
【００２５】
本実施の形態の送話ラウドネス定格測定装置１０は、図２に示すとおり、送話ラウドネス定格測定の出力信号となる音声データをキャプチャする出力信号キャプチャ部１１と、キャプチャした音声データをLinear PCM信号に変換するデータ変換部１２と、Linear PCM信号のラウドネスレベルを算出するラウドネスレベル算出部１３と、算出したラウドネスレベルから送話ラウドネス定格を算出する送話ラウドネス定格算出部１４とを備える。
【００２６】
前述したように、本実施の形態では、OS１０１上に音声通話機能を含むバージョンアップ前のアプリケーション１０２がインストールされた移動機端末１００に対する基準送話ラウドネス定格A[dB]が予め測定されており、また、基準送話ラウドネス定格測定時に移動機端末１００に入力される試験信号が入力Linear PCM信号Iとして記録されている。基準送話ラウドネス定格Aは送話ラウドネス定格算出部１４に入力され、Linear PCM信号Iはラウドネス定格算出部１３に入力される。なお、基準送話ラウドネス定格AとLinear PCM信号Iを予め送話ラウドネス定格測定装置のメモリ等の記憶手段に格納しておき、送話ラウドネス定格測定時に、これらを記憶手段から読み出して計算に用いることとしてもよい。
【００２７】
本実施の形態における送話ラウドネス定格測定装置１０は、例えば、ＣＰＵ、メモリやハードディスク等の記憶手段を備えるコンピュータに、本実施の形態で説明する機能部の処理に対応するプログラムを実行させることにより実現可能である。当該プログラムは、可搬メモリ等の記憶媒体に格納して配布し、上記コンピュータにインストールして用いてもよいし、ネットワーク上のサーバからダウンロードして上記コンピュータにインストールしてもよい。また、送話ラウドネス定格測定装置１０の機能部１１〜１４の全部又は一部をハードウェア回路として実装し、送話ラウドネス定格測定装置１０をこれらハードウェア回路を備える装置として実現することもできる。
【００２８】
以下、図２を参照して、本実施の形態に係る送話ラウドネス定格測定時の処理動作を説明する。
【００２９】
ステップ１０１）移動端末１００において、アプリケーション１０２から任意の相手端末に発信し、入力Linear PCM信号Iを通話音声（音声パケットデータ）として送信する。このとき、出力信号キャプチャ部１１は、アプリケーション１０２の符号化処理部１０３で生成され、出力される符号化音声データD1を取得して記憶手段に記録し、記録したデータを抜き出し、この符号化音声データD1をデータ変換部１２に送信する。なお、移動端末１００側で符号化音声データD1を記録し、記録した符号化音声データD1を出力信号キャプチャ部１１に渡すようにしてもよい。
【００３０】
もしくは、出力信号キャプチャ部１１は、上記の符号化音声データD1を用いずに、無線LANのアクセスポイント２００から出力されるパケットデータD2をキャプチャし、このパケットデータD2をデータ変換部１２に送信するようにしてもよい。本実施の形態では、記録もしくはキャプチャする時間長を10秒とするが、これに限ったものではない。
【００３１】
ステップ１０２）データ変換部１２では、出力信号キャプチャ部１１から符号化音声データD1が入力された場合、音声通話機能を含むアプリケーション１０２で利用している音声符号化方式のデコード処理を実施し、出力Linear PCM信号Oを作成する。出力信号キャプチャ部１１からパケットデータD2が入力された場合、受け取ったパケットのパケット構造に基づき音声ペイロードデータを抜き出し、音声アプリケーションで利用している音声符号化方式のデコード処理を実施し、出力Linear PCM信号Oを作成する。出力Linear PCM信号Oはラウドネスレベル算出部１３に送信する。
【００３２】
ステップ１０３）ラウドネスレベル算出部１３では、移動機端末１００の記憶部１０６から取得された入力Linear PCM信号I及びデータ変換部１２から入力された出力Linear PCM信号Oについて、ITU-R BS.1770-1に準拠したラウドネス算出方法に基づき、それぞれのラウドネスレベルLI, LO[LKFS]を算出し、これらを入力ラウドネスレベルLI、出力ラウドネスレベルLOとして送話ラウドネス定格算出部１４に送信する。ただし、ラウドネスレベル算出方法はこれに限定されない。
【００３３】
ステップ１０４）送話ラウドネス定格算出部１４では、外部から入力された（あるいは送話ラウドネス定格測定装置１０の記憶手段から読み出した）基準送話ラウドネス定格A、及びラウドネスレベル算出部１３から入力された入力ラウドネスレベルLIと出力ラウドネスレベルLOに基づき、以下の式(1)を用いて送話ラウドネス定格SLRを測定し、この送話ラウドネス定格SLRを送話ラウドネス定格測定装置１０の出力とする。
SLR = A − (L0 − LI)       （１）
＜第１の実施の形態の効果＞
以上説明したように、本実施の形態の送話ラウドネス定格測定方法によれば、一度測定器を用いた送話ラウドネス定格測定を音声通話機能を含むアプリケーションをインストールした移動機端末に対して実施することで、当該アプリケーションをバージョンアップした後の送話ラウドネス定格を、測定器を利用せずに容易に算出することが可能となる。
【００３４】
＜第２の実施の形態＞ 
第２の実施の形態は、音声通話機能を含むアプリケーションのバージョンアップ前後の送話ラウドネス定格の変動量を測定する実施形態である。
【００３５】
図３に、本発明の第２の実施の形態に係る送話ラウドネス定格変動量測定システムの構成図を示す。図３に示すように、本実施の形態における送話ラウドネス定格変動量測定システムは、移動機端末１００と送話ラウドネス定格変動量測定装置２０を有する。また、図３に示すように、送話ラウドネス定格変動量測定装置２０は、移動機端末１００やアクセスポイント２００から出力されたデータ（送話ラウドネス定格変動量測定に必要なデータ）を取得可能なように構成されている。
【００３６】
第２の実施の形態の移動機端末１００は、第１の実施の形態の移動機端末１００と同じ装置である。ただし、第２の実施の形態では、音声通話機能を含むアプリケーションとして、バージョンアップ前のアプリケーション１０２を用いてラウドネスレベルを測定するとともに、アプリケーション１０２をバージョンアップしたバージョンアップ後のアプリケーション１０２'を用いてラウドネスレベルを測定する。これら測定のための移動機端末１００からのデータ取得は、バージョンアップ前とバージョンアップ後とで別々に行われるが、図３では便宜上、移動機端末１００においてバージョンアップ前のアプリケーション１０２とバージョンアップ後のアプリケーション１０２'の両方が示されている。
【００３７】
また、本実施の形態では、移動機端末１００の記憶部１０６に、予め、-26dBovの擬似音声Linear PCM信号I'が記録されており、測定時の通話音声として利用する。擬似音声LinearPCM信号はITU-T 勧告P.50に準拠したものとするが、これに限られるわけではない。
【００３８】
第１の実施の形態と同様に、アプリケーション１０２、１０２'は、記憶部１０６に記録されているLinear PCM信号を発話音声として発信する機能を有する。
【００３９】
本実施の形態の送話ラウドネス定格変動量測定装置２０は、図３に示すとおり、バージョンアップ前後それぞれについて送話ラウドネス定格測定の出力信号となる音声データをキャプチャする出力信号キャプチャ部２１と、キャプチャした音声データをLinear PCM信号に変換するデータ変換部２２と、Linear PCM信号のラウドネスレベルを算出するラウドネスレベル算出部２３と、算出したラウドネスレベルから送話ラウドネス定格の変動量を算出する送話ラウドネス定格変動量算出部２４とを備える。
【００４０】
前述したように、本実施の形態では、測定対象移動機端末１００の記憶部１０６に-26dBovの擬似音声Linear PCM信号I'が記録されており、測定時の通話音声として利用する。
【００４１】
本実施の形態における送話ラウドネス定格変動量測定装置２０は、例えば、ＣＰＵ、メモリやハードディスク等の記憶手段を備えるコンピュータに、本実施の形態で説明する機能部の処理に対応するプログラムを実行させることにより実現可能である。当該プログラムは、可搬メモリ等の記憶媒体に格納して配布し、上記コンピュータにインストールして用いてもよいし、ネットワーク上のサーバからダウンロードして上記コンピュータにインストールしてもよい。また、送話ラウドネス定格変動量測定装置２０の機能部２１〜２４の全部又は一部をハードウェア回路として実装し、送話ラウドネス定格変動量測定装置２０をこれらハードウェア回路を備える装置として実現することもできる。
【００４２】
以下、図３を参照して、本実施の形態に係る送話ラウドネス定格変動量測定時の処理動作を説明する。
【００４３】
ステップ２０１）バージョンアップ前後のそれぞれについて、移動端末１００において、アプリケーション１０２（１０２'）から任意の相手端末に発信し、-26dBovの擬似音声Linear PCM信号I'を通話音声（音声パケットデータ）として送信する。このとき、出力信号キャプチャ部２１は、アプリケーション１０２（１０２'）の符号化処理部１０３（１０３'）で生成され、出力される符号化音声データを取得して記憶手段に記録する。バージョンアップ前の符号化音声データをD1a、バージョンアップ後の符号化音声データをD1bとし、符号化音声データD1a, D1bをデータ変換部２２に送信する。なお、移動端末１００側で符号化音声データD1a, D1bを記録し、記録した符号化音声データD1a, D1bを出力信号キャプチャ部２１に渡すようにしてもよい。
【００４４】
もしくは、出力信号キャプチャ部２１は、上記の符号化音声データD1a, D1bを用いずに、無線LANのアクセスポイント２００から出力されるパケットデータをキャプチャし、バージョンアップ前のパケットデータをD2a、バージョンアップ後のパケットデータをD2bとし、パケットデータD2a, D2bをデータ変換部２２に送信するようにしてもよい。本実施の形態でも、記録もしくはキャプチャする時間長を10秒とするが、これに限ったものではない。
【００４５】
ステップ２０２）データ変換部２２では、出力信号キャプチャ部２１から符号化音声データD1a, D1bが入力された場合、音声通話機能を含むアプリケーション１０２で利用している音声符号化方式のデコード処理を実施し、それぞれの出力Linear PCM信号Oa, Obを作成する。出力信号キャプチャ部２１からパケットデータD2a, D2bが入力された場合、受け取ったパケットのパケット構造に基づき音声ペイロードデータを抜き出し、音声アプリケーションで利用している音声符号化方式のデコード処理を実施し、それぞれの出力Linear PCM信号Oa, Obを作成する。出力Linear PCM信号Oa, Obはラウドネスレベル算出部２３に送信する。
【００４６】
ステップ２０３）ラウドネスレベル算出部２３では、データ変換部２２から入力された出力Linear PCM信号Oa, Obについて、ITU-R BS.1770-1に準拠したラウドネス算出方法に基づき、それぞれのラウドネスレベルLOa, LOb[LKFS]を算出し、これらをそれぞれ前ラウドネスレベルLOa、後ラウドネスレベルLObとして送話ラウドネス定格変動量算出部２４に送信する。ただし、ラウドネスレベル算出方法はこれに限定されない。
【００４７】
ステップ２０４）送話ラウドネス定格変動量算出部２４では、ラウドネスレベル算出部２３から入力された前ラウドネスレベルLOa及び後ラウドネスレベルLObに基づき、以下の式（２）を用いて送話ラウドネス定格変動量dSLRを測定し、送話ラウドネス定格変動量dSLRを送話ラウドネス定格変動量測定装置２０の出力とする。
dSLR = − (LOb − LOa)       （２）
また、第１の実施の形態と同様に、バージョンアップ前のアプリケーションについて、予め測定器を用いて移動機端末１００のマイク入力からの送話ラウドネス定格を基準送話ラウドネス定格Aとして測定している場合において、送話ラウドネス定格変動量算出部２４に基準送話ラウドネス定格Aを入力することにより、送話ラウドネス定格変動量算出部２４は、上記のようにして算出される送話ラウドネス定格変動量dSLRと基準送話ラウドネス定格Aとに基づき、以下の式（３）を用いてバージョンアップ後の送話ラウドネス定格SLRを算出することができる。
SLR = A − dSLR       （３）
＜第２の実施の形態の効果＞
以上説明したように、本実施の形態の送話ラウドネス定格変動量測定方法によれば、測定器を用いることなく、音声通話機能を含むアプリケーションのバージョンアップ前後におけるラウドネス定格の変動量を算出することが可能となり、バージョンアップ後の送話ラウドネス定格変動の有無を容易に調べることができる。
【００４８】
なお、第１の実施の形態に係る送話ラウドネス定格測定装置１０と、第２の実施の形態に係る送話ラウドネス定格変動量測定２０とを別々の装置として説明したが、これらの両方の装置の機能を含む送話ラウドネス定格情報測定装置を提供することも可能である。この場合、例えば、送話ラウドネス定格測定装置１０の構成に、送話ラウドネス定格変動量測定２０における送話ラウドネス定格変動量算出部２４を加えることで送話ラウドネス定格情報測定装置とする。このとき、送話ラウドネス定格算出部１４と送話ラウドネス定格変動量算出部２４をあわせて１つの機能部とし、これを送話ラウドネス定格情報算出部と称してもよい。
【００４９】
例えば、当該送話ラウドネス定格情報測定装置は、送話ラウドネス定格測定の指示を受けたときに、第１の実施の形態で説明した処理を実行し、送話ラウドネス定格変動量測定の指示を受けたときに、第２の実施の形態で説明した処理を実行する。
【００５０】
本発明は、上記の実施の形態に限定されることなく、特許請求の範囲内において、種々変更・応用が可能である。
【符号の説明】
【００５１】
１、１００  移動機端末
２、２００  アクセスポイント
３  IP網
４  ゲートウェイ
５  ISDN
６  測定器
７  擬似口
１０  送話ラウドネス定格測定装置
２０  送話ラウドネス定格変動量測定装置
１１、２１  出力信号キャプチャ部
１２、２２  データ変換部
１３、２３  ラウドネスレベル算出部
１４  送話ラウドネス定格算出部
２４  送話ラウドネス定格変動量算出部
１０１  OS（オペレーティングシステム）
１０２、１０２'  音声通話機能を含むアプリケーション
１０３、１０３'  符号化処理部
１０４、１０４'  パケット化部
１０５  送信処理部
１０６  記憶部
【図１】
2014023001.tif 000003
【図２】
2014023001.tif 000004
【図３】
2014023001.tif 000005